(57)【要約】【課題】  動画HDRモードで合成したスルー画表示しているときに、ピント確認のために拡大操作したときに、ユーザーに適切なピント確認ができる装置を提供する。【解決手段】  動画HDRモードでスルー画として２画像を合成し広い階調表現はできるがフレームレートが落ちる表示モードで、ピントの確認とピント位置調整のための表示モード切り替えをしたときに、フレームレートが落とさないスルー画表示をすることを特徴とする構成とした。【選択図】  図１
2018074210.tif 000002
【特許請求の範囲】
【請求項１】
被写体光学像を画像信号に変換する撮像素子と、
前記撮像素子から出力された画像を逐次表示するスルー画表示を行う場合に、第一の表示モードと、拡大表示のための第二の表示モードを切り換える操作手段と、
異なる露出で撮像した画像を合成してより広い階調で表示するモードが設定されたら、スルー画表示中にも異なる露出で撮像した２画像を合成表示する手段を備える撮像装置において、
スルー画で広い階調表示中に、第一の表示モードから第二の表示モードに切り替える操作がされたら、異なる露出で撮像した画像の合成をやめて、第二の表示モード表示に切り替えることを特徴とする撮像装置。
【請求項２】
第二の表示モードが第一の表示モードに切り替わった場合には、異なる露出で撮像した画像の合成表示となることを特徴とする請求項１に記載の撮像装置。
【請求項３】
ＡＦ／ＭＦ切り替えスイッチ１３２の操作でレンズのＡＦ／ＭＦ切り換えができ、
第二の表示モードに切り替える操作がされても、ＡＦ／ＭＦ切り替えスイッチ１３２がＭＦなら第二の表示モードに切り替えるが、異なる露出で撮像した画像の合成をやめ、ＡＦなら、第二の表示モードに切り替えるとともに、広い階調表示となるように、異なる露出で撮像した画像を合成して表示することを特徴とする請求項１に記載の撮像装置。
【請求項４】
第二の表示モードに切り替える操作後の時間をマイクロコンピュータで計測し、所定時間内なら第二の表示モードに切り替えるとともに、広い階調表示となるように、異なる露出で撮像した画像を合成して表示し、所定時間以上経過したら、第二の表示モードのまま、異なる露出で撮像した画像の合成をやめることを特徴とする請求項１に記載の撮像装置。
【請求項５】
第二の表示モードに切り替える操作で第二の表示モード表示しているときに、広い階調表示を切り替える操作手段の操作に応じて、異なる露出で撮像した画像を合成して表示するか合成せずに表示するかを切り替えることを特徴とする請求項１に記載の撮像装置。
【発明の詳細な説明】
【技術分野】
【０００１】
本発明は撮像装置に関する。
【背景技術】
【０００２】
従来、動画モニタ機能を有する電子スチルカメラ、すなわちモニタ等に撮影前画像を出力する機能として、スルー画を表示する機能を有する電子スチルカメラが知られている。また、そのようなカメラのスルー画表示機能には、撮影画像の構図や露出の確認をするための全画面表示と、ピントの確認のために、画像の一部を拡大して表示する拡大画面表示機能も知られている。
【０００３】
カメラの撮影機能の一つとして、より広いダイナミックレンジの動画或いは静止画を記録する広ダイナミックレンジ撮影機能（以下ＨＤＲ）がある。このHDR機能は、適正露出の画像とアンダー露出の画像を合成することで、暗い被写体の階調を出すことができる。そのため、単に適正露出の画像よりも強い日差しの日の室内から屋外を撮影するときなどに効果を発揮する。 
【０００４】
動画でこのHDR機能を実現しようとすると、動画のフレーム毎に適正露出な画像とアンダー露出な画像を交互に撮像し、それら２フレームを１フレームに合成することとなる。また、特許文献１にあるように、動画HDRにも複数の種類があり、その中から適した動画HDRを選択できるものが知られている。
【先行技術文献】
【特許文献】
【０００５】
【特許文献１】特開2000-92378号公報
【発明の概要】
【発明が解決しようとする課題】
【０００６】
動画HDRでは適正露出画像とアンダー露出画像の2フレームを合成して１フレームとするために、スルー画のフレームレートが半分に減ってしまう。そのため動画HDRの撮像は60fpsで行って、表示される動画HDRのスルー画や記録動画は30fpsとなるようになっている。従来のスルー画表示では、前述したとおり、ピント確認やピント位置調整のために全画面の一部を拡大して表示する拡大画面表示がある。
【０００７】
このピントの確認とピント位置の調整は、フレームレートが早くないとピント位置の調整が非常にしづらかった。また、拡大表示は上記目的のために、画素間引きや画素の加算平均などをせずに読み出しているが、所定のフレームレートを実現するために、センサの一部分を切り出して読み出している。
【０００８】
この切り出し読み出しのために、センサを水平方向に分割して制御するが、この分割数分調整値を持つ必要があって、その調整時間と調整値保存用のROMが必要になる。拡大表示のフレームレートを早くするためには、このセンサの水平方向の分割数を多くする必要があるので、調整時間と調整値保存用のROMから拡大表示の撮像のフレームレートは30fpsとなっている。
【課題を解決するための手段】
【０００９】
上記目的を達成するために、本発明では、動画HDR機能を有し、そのスルー画表示している時に、拡大画面表示への切り換え操作がされた時は、全画面表示を拡大画面表示に切り換えるとともに、自動で動画HDRのスルー画表示をやめて、通常のスルー画の拡大表示に切り換えることで表示のフレームレートが低くなるという問題を解決する。
【発明の効果】
【００１０】
動画のHDRモードで、全画面表示から拡大画面表示に切り替わると、動画のHDRの表示をやめて通常モードの拡大表示に切り換えることで、するユーザーに煩わしい操作をさせることなく、ピントの確認や調整を快適に、そして、正確にできる撮像装置を提供することができる。
【図面の簡単な説明】
【００１１】
【図１】撮像装置のシステムのブロック図。
【図２】動画ＨＤＲモードのフローチャート。
【図３】動画ＨＤＲモードのフローチャート。
【図４】動画ＨＤＲモードのフローチャート。
【図５】動画ＨＤＲモードのフローチャート。
【発明を実施するための形態】
【００１２】
以下、図面を参照して本発明の実施形態を説明する。図１は、本発明の実施形態における撮像装置の構成を示す図である。図１において、１０１は撮影レンズである。１０２はＡＦ（オートフォーカス）駆動回路である。ＡＦ駆動部１０２は、例えばＤＣモータやステッピングモータによって構成され、マイクロコンピュータ１２３の制御によって撮影レンズ１０１のフォーカスレンズ位置を変化させることによりピントを合わせる。
【００１３】
また、撮影レンズ１０１は、手動でもフォーカスレンズ位置を変えることができ、その位置の変化はＡＦ駆動回路からマイクロコンピュータ１２３に通知される。１０３は絞りである。１０４は絞り駆動回路である。絞り駆動回路１０４は、絞り１０３を駆動する。駆動されるべき量はマイクロコンピュータ１２３によって算出され、光学的な絞り値を変化させる。
【００１４】
１０５は撮影レンズ１０１から入射した光束をファインダ側と撮像素子側とに切替えるための主ミラーである。主ミラー１０５は常時はファインダ部へと光束を導くよう反射させるように配されているが、撮影が行われる場合やLV表示の場合には、撮像素子１１２へと光束を導くように上方に跳ね上がり光束中から待避する。また主ミラー１０５はその中央部が光の一部を透過できるようにハーフミラーとなっており、光束の一部を、焦点検出を行うためのセンサに入射するように透過させる。
【００１５】
１０６は主ミラー１０５から透過してきた光束を反射させ焦点検出を行うためのセンサ（焦点検出回路１０９内に配置されている）に導くためのサブミラーである。１０７は、主ミラー駆動回路で、マイクロコンピュータ１２３の制御によって主ミラー１０５を駆動する。１０８はファインダを構成するペンタプリズムである。ファインダは他にピント板、アイピースレンズ（不図示）などによって構成させる。１０９は焦点検出回路である。ミラー１０６の中央部を透過し、サブミラー１０７で反射された光束は、焦点検出回路１０９の内部に配置された光電変換を行うためのセンサに至る。
【００１６】
フォーカス演算に用いるデフォーカス量は、センサの出力を演算することによって求められる。マイクロコンピュータ１２３は演算結果を評価してＡＦ駆動回路１０２に指示し、フォーカスレンズを駆動させる。１１０はフォーカルプレーンシャッタである。１１１はシャッタ駆動回路であり、フォーカルプレーンシャッタ１１０を駆動する。シャッタの開口時間はマイクロコンピュータ１２３によって、制御される。１１２は撮像素子である。撮像素子１１２には、ＣＣＤやＣＭＯＳセンサなどが用いられ、撮影レンズ１０１によって結像された被写体像を電気信号に変換する。
【００１７】
１１５はＡ／Ｄ変換器である。Ａ／Ｄ変換器１１５は撮像素子１１２のアナログ出力信号をデジタル信号に変換する。１１６は映像信号処理回路であり、ゲートアレイなどのロジックデバイスにより実現される。１１７は表示駆動回路である。１１８は、ＴＦＴや有機ＥＬなどを用いた表示部材である。１１９はメモリコントローラである。１２０はメモリである。１２１はコンピュータ等と接続可能な外部インターフェイスである。
【００１８】
１２２はバッファメモリである。映像信号処理回路１１６は、デジタル化された画像データに、フィルター処理、色変換処理、ガンマ処理を行うと共に、ＪＰＥＧなどの圧縮処理を行ったり、LV表示のスルー画や、動画HDR画像作成のための適正露出画像とアンダー露出画像の重ね合わせを行いメモリコントローラ１１９に出力する。
【００１９】
また、映像信号処理回路１１６は、撮像素子１１２からの映像信号や、メモリコントローラ１１９から逆に入力される画像データを、表示駆動回路１１７を通して表示部材１１８に出力することも可能である。これらの機能切り替えはマイクロコンピュータ１２３の指示により行われる。
【００２０】
映像信号処理回路１１６は、必要に応じて撮像素子１１２の信号の露出情報やホワイトバランス、画像の周波数成分の分析などの情報をマイクロコンピュータ１２３に出力することが可能である。それらの情報を基にマイクロコンピュータ１２３はホワイトバランスやゲイン調整の指示を行ったり、周波数成分の分析結果は、評価値としてピント合わせに利用する。
【００２１】
連続撮影動作の場合においては、一旦、未処理画像のままバッファメモリ１２２に撮影データを格納し、メモリコントローラ１１９を通して未処理の画像データを読み出し、映像信号処理回路１１６にて画像処理や圧縮処理を行い、連続撮影を行う。連像撮影枚数は、バッファメモリの大きさに左右される。
【００２２】
メモリコントローラ１１９では、映像信号処理回路１１６から入力された未処理のデジタル画像データをバッファメモリに格納し、処理済みのデジタル画像データをメモリ１２０に格納する。また、逆にバッファメモリ１２２やメモリ１２０から画像データを映像信号処理回路１１６に出力する。メモリ１２０は取り外し可能である場合もある。メモリコントローラ１１９は、コンピュータ等と接続可能な外部インターフェイス１２１を介してメモリ１２０に記憶されている画像を出力可能である。１２３はマイクロコンピュータである。
【００２３】
１２３のマイクロコンピュータは不図示のタイマーを内蔵していて、時間計測が可能である。１２４は撮影操作部材である。撮影操作部材１２４は、マイクロコンピュータ１２３にその状態を伝え、マイクロコンピュータ１２３はその操作部材の変化に応じて各部をコントロールする。１２５はスイッチ１（以後ＳＷ１）である。１２６はスイッチ２（以後ＳＷ２）である。
【００２４】
スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作を行うと共に、測光動作を行う。スイッチＳＷ１、ＳＷ２が共にオンの状態はレリーズボタンの全押し状態であり、画像を記録するためのレリーズボタン オン状態である。この状態で撮影が行われる。
【００２５】
また、スイッチＳＷ１、ＳＷ２がオンし続けている間は連続撮影動作が行われる。操作部材１２４には、他に、ＩＳＯ設定ボタン、メニューボタン、セットボタン、フラッシュ設定ボタン、単写/連写/セルフタイマー切り替えボタン、メニューや再生画像移動のための移動＋（プラス）ボタン、移動−（マイナス）ボタン、露出補正ボタン、表示画像拡大ボタン、表示画像縮小ボタン、再生ボタン、絞り１０４を設定された絞りに絞り込ませるための絞りボタン、撮影した画像を消去するための消去ボタン、撮影や再生に関する情報表示ボタンなど不図示のスイッチが接続されており、スイッチの状態が検出されている。
【００２６】
また、上記プラスボタン及びマイナスボタンの各機能は、回転ダイアルスイッチを備えることによって、より軽快に数値や機能を選択することが可能となる。なお、本発明の動画ＨＤＲ露出撮影に関する設定は、メニュー表示の中から、動画ＨＤＲ撮影の“する”／“しない”で設定できる。
【００２７】
１２７は液晶駆動回路である。１２８は外部液晶表示部材である。１２９はファインダ内液晶表示部材である。液晶駆動回路１２７は、マイクロコンピュータ１２３の表示内容命令に従って、文字、画像を用いて動作状態やメッセージ等を表示する外部液晶表示部材１２８やファインダ内液晶表示部材１２９を駆動する。また、ファインダ内液晶表示部材１２９には、不図示のＬＥＤなどのバックライトが配置されており、そのＬＥＤも液晶駆動回路１２７で駆動される。
【００２８】
マイクロコンピュータ１２３は撮影前に設定されているＩＳＯ感度、画像サイズ、画質に応じた、画像サイズの予測値データをもとに、メモリコントローラ１１９を通して、メモリの容量を確認した上で撮影可能残数を演算することができる。必要に応じて外部液晶表示部材１２８、ファインダ内液晶表示部材１２９にも表示することができる。
【００２９】
１３０は不揮発性メモリ（ＥＥＰＲＯＭ）で、カメラに電源が入れられていない状態でも、データを保存することができる。１３１は電源部である。電源部１３１は、各ＩＣや駆動系に必要な電源を供給する。１３２は撮影レンズ１０１を自動制御（ＡＦ）するか、手動制御（ＭＦ）するかを切り替えるためのＡＦ／ＭＦ切り替えスイッチである。
【００３０】
図２は、ユーザーが撮影操作部材１２４で、動画HDR機能を設定して、表示部材１１８でスルー画表示を見ながら、操作部材１２４のスルー画を拡大する操作した時の動作を説明するためのフローチャートである。
【００３１】
動画HDR撮影機能が設定されて、動画HDR撮影が開始（ステップＳ２０１）、マイクロコンピュータ１２３は、スルー画と合成するためのベース画像を初期化（ステップＳ２０２）をし、表示部材１１８でスルー画表示を開始する（ステップＳ２０３）。
【００３２】
マイクロコンピュータ１２３は、スルー画表示のフレーム番号をカウントしておき、ステップＳ２０４で、ユーザーによって撮影操作部材１２４の表示画像拡大ボタンが操作されたかのチェックを行う。表示画像拡大ボタンが操作されなければステップＳ２０５に進み、全画面での動画HDR表示するための処理を行う。
【００３３】
動画HDR撮影は、適正露出画像とアンダー露出画像を連続するフレームで交互に撮像し、適正露出画像とアンダー露出画像を合成し、合成した画像をスルー画として表示、記録する撮影モードなので、フレーム番号チェック（ステップＳ２０５）で撮像するフレーム番号が奇数であれば適正露出画像を撮像し（ステップＳ２０６）、フレーム番号が偶数であればアンダー露出画像を撮像する（ステップＳ２０７）。
【００３４】
適正露出画像の撮像（ステップＳ２０６）とアンダー露出画像の撮像（ステップＳ２０７）が連続して撮像できたら、画像合成して動画HDR画像を作成し（ステップＳ２０９）、それをスルー画表示する（ステップＳ２１０）。スルー画表示を終了すべき操作がされたか（ステップＳ２１１）、より具体的には、操作部材１２４のメニューボタンや再生ボタンなどが操作された場合には、動画HDR表示を終了するが（ステップＳ２１２）、スルー画表示を終了すべき操作がされていなければ、（ステップＳ２０４）に戻り、動画HDR表示の動作を継続する。
【００３５】
ステップＳ２０４で、ユーザーによって撮影操作部材１２４の表示画像拡大ボタンが操作されたと判断したら、表示するスルー画は２フレームを合成した拡大の動画HDR表示ではなく、拡大の適正露出画像に切り替え（ステップＳ２０８）、ステップＳ２１０に進んでスルー画を表示する。
【００３６】
これによって拡大のスルー画の表示は、動画HDRのスルー画ではなくなるが、フレームレートが３０ｆｐｓ表示となるため、手動でのピント調整がし易くなる。また、拡大表示から全画面表示に戻った場合は、全画面表示では動画HDR表示を行う。なお、拡大される表示される位置は、全画面表示の時に表示されるAF枠、若しくは、拡大枠を含む領域である。
【００３７】
［実施形態２］
図３は、ユーザーが撮影操作部材１２４で、動画HDR機能を設定して、表示部材１１８でスルー画表示を見ながら、操作部材１２４のスルー画を拡大する操作した時の動作を説明するためのフローチャートである。
【００３８】
動画HDR撮影機能が設定されて、動画HDR撮影が開始（ステップＳ３０１）、マイクロコンピュータ１２３は、スルー画と合成するためのベース画像を初期化（ステップＳ３０２）をし、表示部材１１８でスルー画表示を開始する（ステップＳ３０３）。マイクロコンピュータ１２３は、スルー画表示のフレーム番号をカウントしておき、ステップＳ３０４で、ユーザーによって撮影操作部材１２４の表示画像拡大ボタンが操作されたかのチェックを行う。
【００３９】
表示画像拡大ボタンが操作されなければステップＳ３０９に進み、全画面での動画HDR表示するための処理を行う。動画HDR撮影は、適正露出画像とアンダー露出画像を連続するフレームで交互に撮像し、適正露出画像とアンダー露出画像を合成し、合成した画像をスルー画として表示、記録する撮影モードなので、フレーム番号チェック（ステップＳ３０９）で撮像するフレーム番号が奇数であれば適正露出画像を撮像し（ステップＳ３１０）、フレーム番号が偶数であればアンダー露出画像を撮像する（ステップＳ３１１）。
【００４０】
適正露出画像の撮像（ステップＳ３１０）とアンダー露出画像の撮像（ステップＳ３１１）が連続して撮像できたら、画像合成して動画HDR画像を作成し（ステップＳ３１２）、それをスルー画表示する（ステップＳ３１３）。
【００４１】
スルー画表示を終了すべき操作がされたか（ステップＳ３１４）、より具体的には、操作部材１２４のメニューボタンや再生ボタンなどが操作された場合には、動画HDR表示を終了するが（ステップＳ３１６）、スルー画表示を終了すべき操作がされていなければ、（ステップＳ３０４）に戻り、動画HDR表示の動作を継続する。
【００４２】
マイクロコンピュータ１２３はステップＳ３０４で、ユーザーによって撮影操作部材１２４の表示画像拡大ボタンが操作されたと判断したら、ステップＳ３０５でＡＦ／ＭＦ切り替えスイッチ１３２のチェックをし、ＡＦ／ＭＦ切り替えスイッチがＭＦであれば、表示するスルー画は２フレームを合成した拡大の動画HDR表示ではなく、拡大の適正露出画像に切り替え（ステップＳ３１５）、ステップＳ３１３に進んでスルー画を表示する。
【００４３】
これによって拡大時のスルー画の表示は、動画HDRのスルー画ではなくなるが、フレームレートが３０ｆｐｓ表示となるため、手動でのピント調整がし易くなる。ＡＦ／ＭＦ切り替えスイッチ１３２がＡＦであれば、ピント合わせが自動となるため、スルー画表示を拡大でも動画HDR表示のための合成表示を行う。
【００４４】
拡大の動画HDR表示のために、ステップＳ３０６でフレーム番号をチェックし、撮像するフレーム番号が奇数であれば適正露出画像を撮像し（ステップＳ３０７）、フレーム番号が偶数であればアンダー露出画像を撮像し（ステップＳ３０８）、ステップＳ３１２に進む。
【００４５】
これによってユーザーは手動でピント合わせしたくてレンズスイッチをＭＦにしている場合は、拡大表示ではピント合わせのために、動画HDRでないがフレームレートが３０ｆｐｓ表示のスルー画表示を行うのでピント調整もし易くなる。また、拡大表示から全画面表示に戻った場合は、全画面表示では動画HDR表示を行う。
【００４６】
［実施形態３］
図４は、ユーザーが撮影操作部材１２４で、動画HDR機能を設定して、表示部材１１８でスルー画表示を見ながら、操作部材１２４のスルー画を拡大する操作した時の動作を説明するためのフローチャートである。
【００４７】
動画HDR撮影機能が設定されて、動画HDR撮影が開始（ステップＳ４０１）、マイクロコンピュータ１２３は、スルー画と合成するためのベース画像を初期化（ステップＳ４０２）をし、表示部材１１８でスルー画表示を開始する（ステップＳ４０３）。
【００４８】
マイクロコンピュータ１２３は、スルー画表示のフレーム番号をカウントしておき、ステップＳ４０４で、ユーザーによって撮影操作部材１２４の表示画像拡大ボタンが操作されたかのチェックを行う。
【００４９】
表示画像拡大ボタンが操作されなければステップＳ４０９に進み、全画面での動画HDR表示するための処理を行う。動画HDR撮影は、適正露出画像とアンダー露出画像を連続するフレームで交互に撮像し、適正露出画像とアンダー露出画像を合成し、合成した画像をスルー画として表示、記録する撮影モードなので、フレーム番号チェック（ステップＳ４０９）で撮像するフレーム番号が奇数であれば適正露出画像を撮像し（ステップＳ４１０）、フレーム番号が偶数であればアンダー露出画像を撮像する（ステップＳ４１１）。
【００５０】
適正露出画像の撮像（ステップＳ４１０）とアンダー露出画像の撮像（ステップＳ４１１）が連続して撮像できたら、画像合成して動画HDR画像を作成し（ステップＳ４１２）、それをスルー画表示する（ステップＳ４１３）。
【００５１】
スルー画表示を終了すべき操作がされたか（ステップＳ４１４）、より具体的には、操作部材１２４のメニューボタンや再生ボタンなどが操作された場合には、動画HDR表示を終了するが（ステップＳ４１６）、スルー画表示を終了すべき操作がされていなければ、（ステップＳ４０４）に戻り、動画HDR表示の動作を継続する。
【００５２】
マイクロコンピュータ１２３はステップＳ４０４で、ユーザーによって撮影操作部材１２４の表示画像拡大ボタンが操作されたと判断したら、マイクロコンピュータ１２３内のタイマー計測部で時間を計測し、所定時間以内であれば、拡大表示でも動画HDRのスルー画表示をし、所定時間経過後には、通常の拡大のスルー画表示に自動で切り替えて、ピントの確認がしやすい表示を行う。
【００５３】
そのために、ステップＳ４０５で拡大ボタン操作してからの時間を計測しておき、その経過時間が所定時間以内あれば、表示するスルー画は２フレームを合成した拡大の動画HDR表示のために、ステップＳ４０６でフレーム番号をチェックし、撮像するフレーム番号が奇数であれば適正露出画像を撮像し（ステップＳ４０７）、フレーム番号が偶数であればアンダー露出画像を撮像し（ステップＳ４０８）、ステップＳ４１２に進む。
【００５４】
ステップＳ４０５で所定時間経過したら、拡大の適正露出画像に切り替え（ステップＳ４１５）、ステップＳ４１３に進んでスルー画を表示する。これによってユーザーは煩わしい操作や設定をすることなく、拡大時のスルー画の表示で、動画HDRのスルー画と、ピント合わせのために動画HDRでないがフレームレートが３０ｆｐｓ表示も確認することができるので、ピント調整もし易くなる。
【００５５】
［実施形態４］
図５は、ユーザーが撮影操作部材１２４で、動画HDR機能を設定して、表示部材１１８でスルー画表示を見ながら、操作部材１２４のスルー画を拡大する操作した時の動作を説明するためのフローチャートである。
【００５６】
動画HDR撮影機能が設定されて、動画HDR撮影が開始（ステップＳ５０１）、マイクロコンピュータ１２３は、スルー画と合成するためのベース画像を初期化（ステップＳ５０２）をし、表示部材１１８でスルー画表示を開始する（ステップＳ５０３）。
【００５７】
マイクロコンピュータ１２３は、スルー画表示のフレーム番号をカウントしておき、ステップＳ５０４で、ユーザーによって撮影操作部材１２４の表示画像拡大ボタンが操作されたかのチェックを行う。
【００５８】
表示画像拡大ボタンが操作されなければステップＳ５０９に進み、全画面での動画HDR表示するための処理を行う。動画HDR撮影は、適正露出画像とアンダー露出画像を連続するフレームで交互に撮像し、適正露出画像とアンダー露出画像を合成し、合成した画像をスルー画として表示、記録する撮影モードなので、フレーム番号チェック（ステップＳ５０９）で撮像するフレーム番号が奇数であれば適正露出画像を撮像し（ステップＳ５１０）、フレーム番号が偶数であればアンダー露出画像を撮像する（ステップＳ５１１）。
【００５９】
適正露出画像の撮像（ステップＳ５１０）とアンダー露出画像の撮像（ステップＳ５１１）が連続して撮像できたら、画像合成して動画HDR画像を作成し（ステップＳ５１２）、それをスルー画表示する（ステップＳ５１３）。
【００６０】
スルー画表示を終了すべき操作がされたか（ステップＳ５１４）、より具体的には、操作部材１２４のメニューボタンや再生ボタンなどが操作された場合には、動画HDR表示を終了するが（ステップＳ５１６）、スルー画表示を終了すべき操作がされていなければ、（ステップＳ５０４）に戻り、動画HDR表示の動作を継続する。
【００６１】
マイクロコンピュータ１２３はステップＳ５０４で、ユーザーによって撮影操作部材１２４の表示画像拡大ボタンが操作されたと判断したら、ステップＳ５０５で拡大表示でも動画HDR表示をするか否かの撮影操作部材１２４のチェックをし、拡大では動画HDR表示しないであれば、表示するスルー画は２フレームを合成した拡大の動画HDR表示ではなく、拡大の適正露出画像に切り替え（ステップＳ５１５）、ステップＳ５１３に進んでスルー画を表示する。
【００６２】
拡大表示でも動画HDR表示をするであれば、拡大でも動画HDR表示のための合成表示を行う。拡大の動画HDR表示のために、ステップＳ５０６でフレーム番号をチェックし、撮像するフレーム番号が奇数であれば適正露出画像を撮像し（ステップＳ５０７）、フレーム番号が偶数であればアンダー露出画像を撮像し（ステップＳ５０８）、ステップＳ５１２に進む。
【符号の説明】
【００６３】
１０１  撮影レンズ      １０２  ＡＦ（オートフォーカス）駆動回路
１２３  マイクロコンピュータ
【図１】
2018074210.tif 000003
【図２】
2018074210.tif 000004
【図３】
2018074210.tif 000005
【図４】
2018074210.tif 000006
【図５】
2018074210.tif 000007